(57)【要約】【課題】顕微鏡の光軸に交換可能に配置する光学部材の情報を自動で取得し、制御処理を行うことが可能な顕微鏡装置を提供すること。【解決手段】顕微鏡に設けられた光学系の光軸Ｉに対し、交換可能に配置される光学部材７と、前記光学部材に配置され当該光学部材に関わる情報を表示する表示部２１と、前記表示部の近傍に配置され、当該表示部に表示された前記情報を撮像する撮像手段１１と、前記撮像手段で撮像された前記情報に基づいて前記顕微鏡の制御処理をする制御手段３と、を有する顕微鏡装置１。【選択図】図１
2008216989.tif 000002
【特許請求の範囲】
【請求項１】
顕微鏡に設けられた光学系の光軸に対し、交換可能に配置される光学部材と、
前記光学部材に配置され当該光学部材に関わる情報を表示する表示部と、
前記表示部の近傍に配置され、当該表示部に表示された前記情報を撮像する撮像手段と、
前記撮像手段で撮像された前記情報に基づいて前記顕微鏡の制御処理をする制御手段と、
を有することを特徴とする顕微鏡装置。
【請求項２】
前記光学部材は複数配置され、
前記制御手段は、前記光学部材の設置位置情報を取得することを特徴とする請求項１に記載の顕微鏡装置。
【請求項３】
前記情報は文字又は図形であり、
前記撮像手段で撮像された前記文字又は前記図形からの前記情報を判断する判断手段を有することを特徴とする請求項１又は２に記載の顕微鏡装置。
【請求項４】
前記光学部材は、対物レンズとフィルタブロックの少なくとも一方を含むことを特徴とする請求項１から３のいずれか１項に記載の顕微鏡装置。
【請求項５】
前記光学部材は、対物レンズであり、前記対物レンズを前記顕微鏡に設けられた光学系の光軸に交換可能に配置するレボルバとを備え、
前記撮像手段は、前記顕微鏡のレボルバの回転軸近傍に設けられた支持部材に配置されていることを特徴とする請求項１から４のいずれか１項に記載の顕微鏡装置。
【請求項６】
前記撮像手段は、前記顕微鏡の本体部分に配置されることを特徴とする請求項１から５のいずれか１項に記載の顕微鏡装置。
【請求項７】
前記撮像手段は、前記フィルタブロックを内蔵するフィルタボックスに内蔵されていることを特徴とする請求項１から６のいずれか１項に記載の顕微鏡装置。
【請求項８】
前記表示部を照明する照明手段をさらに有することを特徴とする請求項１から７のいずれか１項に記載の顕微鏡装置。
【請求項９】
前記光学部材は対物レンズであり、
前記顕微鏡装置は観察する標本を載置するステージを有し、
前記撮像手段による前記表示部の撮像時に、前記対物レンズと前記ステージとの間隙を広げる方向に前記ステージを移動させる移動装置を有することを特徴とする請求項１に記載の顕微鏡装置。
【発明の詳細な説明】
【技術分野】
【０００１】
本発明は、光軸に交換可能に配置される光学部材の情報を取得可能な顕微鏡装置に関する。
【背景技術】
【０００２】
従来、例えば、顕微鏡の光軸に交換可能に配置されている対物レンズ等の情報を自動的に得るには、レボルバの対物レンズ取り付け位置にアドレスを割り振り特定のアドレスに取り付けた対物レンズの情報をあらかじめ顕微鏡の記憶手段にアドレスに対応して設定記憶せしめ、対物レンズが光軸に配置されたときに、当該アドレス情報から記憶情報を検索、読み出して顕微鏡に設定することが行われている（例えば、特許文献１参照）。又、対物レンズに限らず、交換可能な光学部材、例えばターレットに配置されたフィルタ等の場合も同様である。
【特許文献１】特開２００２−２９６５０７号公報
【発明の開示】
【発明が解決しようとする課題】
【０００３】
しかしながら、従来の方法では、レボルバに取り付ける対物レンズそれぞれについて、レボルバへの設置前にアドレスに対応して情報を手動で設定記憶する作業が必要であるので、設定誤りの危険があると共に、ユーザの作業量が多くなり、さらに対物レンズの交換または取り付け位置を変更したときにはその都度ユーザが手動で設定情報を修正しなければならないと言う課題がある。また、対物レンズに限らず、交換可能な光学部材についても同様である。
【課題を解決するための手段】
【０００４】
上記課題を解決するため、本発明は、顕微鏡に設けられた光学系の光軸に対し、交換可能に配置される光学部材と、前記光学部材に配置され当該光学部材に関わる情報を表示する表示部と、前記表示部の近傍に配置され、当該表示部に表示された前記情報を撮像する撮像手段と、前記撮像手段で撮像された前記情報に基づいて前記顕微鏡の制御処理をする制御手段と、を有することを特徴とする顕微鏡装置を提供する。
【発明の効果】
【０００５】
本発明によれば、顕微鏡に交換可能に配置する光学部材の情報を容易に把握可能な顕微鏡装置を提供することができる。
【発明を実施するための最良の形態】
【０００６】
以下、本発明の実施の形態にかかる顕微鏡装置について図面を参照しつつ説明する。
【０００７】
図１は、第１実施の形態にかかる顕微鏡装置の概略構成図である。図２は、第１実施の形態にかかる顕微鏡装置に搭載されているレボルバの拡大図である。図３は、図２に示すレボルバのＡまたはＢ方向からみた図を示し、（ａ）はＡ方向から見た図を、（ｂ）はＢ方向から見た図をそれぞれ示す。図４は、図２に示す対物レンズ位置決めに用いられるクリップばねの拡大図を示す。図５は、対物レンズに設けられたコードパターンの例を示し、（ａ）は二次元コード、（ｂ）はバーコード、（ｃ）はバーコードを対物レンズ外周部分の略一周にわたって配置した例をそれぞれ示す。図６は、顕微鏡装置の概略ブロック図である。図７は対物レンズ情報の取得フローを示す。
【０００８】
図１から図７において、第１実施の形態にかかる顕微鏡装置１は、顕微鏡本体２と顕微鏡の中央制御装置３と操作装置４とから構成されている。
【０００９】
顕微鏡本体２は、移動装置１３で上下動するステージ５、ベース部に内蔵される透過照明光学系６、対物レンズ７、複数の対物レンズ７を顕微鏡本体２の光軸Ｉに交換可能に位置決めするレボルバ８と観察光学系９とから構成されている。
【００１０】
図２に示すようにレボルバ８は、顕微鏡本体２に顕微鏡取り付けアリ８ｂを介して固定されている。レボルバ８の回転軸Ｏの位置には、ＬＥＤ１０と撮像装置１１とを支持する支持部材１２が、レボルバ８の回転皿８ａの回転に対して摺動可能に固定されている。また、レボルバ８は不図示の電動機構に接続され、レボルバ８の回転が電動制御可能な構成となっている。
【００１１】
対物レンズ７の外周部分には、図５に示すパターン２１（２１ａ、２１ｂ、又は２１ｃを代表して２１と記す）が形成され、ＬＥＤ１０の照明方向と撮像装置１１の撮影方向は同じ向きであり、これらに対向する位置に配置されている。図５に示すパターン２１は、対物レンズ７の情報を含むコードパターン例を示し、二次元コード２１ａ、バーコード２１ｂ、対物レンズ７の外周部のほぼ一周にわたって形成されたバーコード２１ｃをそれぞれ示している。バーコード２１ｃは対物レンズ７の外周部分一周にわたって形成されているので、レボルバ８に対物レンズ７を取り付ける際の位置を考慮しなくても良い利点がある。なお、上記パターンには、コードパターン以外に文字パターンを含んでいても良い。文字を含んでいることでユーザが撮像装置で取得した画像を目視で確認することも可能になる。また、パターンは蓄光性の塗料で形成されていても良い。蓄光性の塗料で形成することによって、蓄光された光で画像を撮像装置１１が撮像することができＬＥＤ１０を配置しなくても良くなるという利点がある。もちろん、蓄光性塗料で形成されずとも明るい部屋での使用を考慮すれば照明装置は必須ではない。
【００１２】
上記パターン２１は、例えば、倍率、開口数、作動距離、焦点距離等の情報、あるいは蛍光用、位相差用、微分干渉用、暗視野用などの用途情報、その他製造番号、製造年月日などの対物レンズ７の各種情報を盛り込むことができる。
【００１３】
リボルバ８は、図３（ｂ）に示すように、その内部に対物レンズ７の取り付け穴の位置決め構造を有している。レボルバ８の回転皿８ａの外周部には、例えば６個の対物レンズ７の取り付け穴に対応する６個のクリックＶ溝８ｘと、ほぼ同位置に配置された６個のアドレスマグネット８ｙが配置されている。また、レボルバ８の回転軸Ｏに対して対向する位置にアドレスマグネット８ｙでアドレス信号を検出するマグネットセンサー８ｍと、クリックＶ溝８ｘに係合して回転皿８ａの回転を係止するクリックばね８ｎがレボルバベース部８ｄ固定されている。
【００１４】
図４に示すように、クリックばね８ｎの突起部８ｐが、クリックＶ溝８ｘに係合することで、対物レンズ７が光軸Ｉに挿入位置決めされ、これと同時に、マグネットセンサー８ｍが、アドレスマグネット８ｙを検出してアドレス信号を中央制御装置３に伝達する。
【００１５】
図３（ｂ）に示すように撮像装置１１は、撮像素子１１ａとレンズ１１ｂとから構成され、対物レンズ７の外周部分に形成されているパターン２１を撮像し、画像を図６に示す画像解析手段３ｂで解読し結果を本実施の形態では制御装置３に伝達する。なお、画像解析手段３ｂは中央制御装置３内に含まれている。この際、パターン２１の周囲が暗くて撮像が難しい場合には、中央制御装置３はＬＥＤ１０を発光させてパターン２１を照明し撮像装置１１で画像を撮像しやすくすることができる。撮像装置１１で撮像されたパターン２１の画像は、画像解析手段３ｂで解読され、対物レンズ７の各種情報が、マグネットセンサー８ｍで検出されたアドレス情報と共に中央制御装置３の所定のメモリに記憶される。
【００１６】
図７は、対物レンズ情報の取得フローを示す。中央制御装置３からの指示に従って、レボルバ８が電動で回転され、マグネットセンサー８ｍから中央制御装置３にアドレス信号が入力されたか否かを判定する（Ｓ１）。
【００１７】
アドレス信号が検出されない場合（ＮＯ）は、検出されるまで（Ｓ１）を継続する。
【００１８】
アドレス信号が検出された場合（ＹＥＳ）は、ＬＥＤ１０を点灯してパターン２１を照明する（Ｓ２）。ＬＥＤ１０は、継続して点灯させると標本に対し悪影響、例えば退色等が生じるため、必要なときのみ点灯させることが好ましいが、継続して点灯しても良い。
【００１９】
アドレス信号が検出されたら、撮像装置１１でパターン２１を撮像する（Ｓ３）。対物レンズ７の鏡筒の長さは倍率によって異なっている。従って、このパターン２１を撮像する際、レボルバ８を回転させる動作を行うが、レボルバ８に装着された対物レンズ７の先端とステージ５との間隙が小さい場合、対物レンズ７の先端が衝突してしまう恐れがある。よって、パターン２１を撮像する際には、対物レンズ７先端とステージ５との間隙が十分離れるようにするため、一旦ステージ５を対物レンズ７先端から離れる方向に移動装置１３を用い移動させることが好ましい。または、ステージ５が上下動しない顕微鏡の場合は、レボルバ８をステージ５から離れる方向に移動させても良い。
そして、パターン２１を撮像した後、対物レンズ７先端とステージ５の間隙が大きいままの状態であると、その後の焦点合わせの動作において、対物レンズ７とステージ５との距離を近づけるための動作時間が長くなってしまい使用者が煩わしさを感じる恐れがある。この煩わしさを小さくするために、パターン２１を撮像した後、対物レンズ７先端とステージ５との間隙を近づける動作を行うことが好ましい。例えば、取得した対物レンズ７の情報から、最も鏡筒の長さが長い鏡筒に合わせて、この鏡筒とステージ５の間隙を衝突しない範囲で近接させるようにすることも可能である。または、最初に使用する対物レンズ７が予め決定している場合は、その対物レンズ７に合わせてステージ５と対物レンズ７までの間隙を調整するようにしても良い。
【００２０】
撮像が完了したらＬＥＤ１０を消灯する（Ｓ４）。
【００２１】
撮像された画像を画像解析手段３ｂで解読する（Ｓ５）。解読した結果は、アドレス情報と共に中央制御装置３の所定のメモリに記憶される。
【００２２】
解読された結果に基づき中央制御装置３が、顕微鏡本体２に対して制御処理を適宜実行する（Ｓ６）。
【００２３】
また、図６に示すように、中央制御装置３は顕微鏡本体２の各種の制御を実行する。例えば、光学部材である対物レンズ７等の交換（Ｃ）、標本の照明装置のＯＮ／ＯＦＦ（Ｄ）、標本への合焦動作（Ｅ）、外部機器との情報の交換処理（Ｆ）、あるいは観察画像や顕微鏡本体２の動作状態を不図示のモニタに表示させる（Ｇ）、等の制御を実行することができる。
【００２４】
このように、本第１実施の形態にかかる顕微鏡装置１では、中央制御装置３がレボルバ８に搭載された複数の対物レンズ７の情報を、対物レンズ７の外周部分に形成されているパターン２１を撮像装置１１で撮像した画像をそれぞれ解析することで入手し、レボルバ８の対物レンズ７の取り付け位置情報であるアドレス情報と共にそれぞれ記憶し、以後の対物レンズ７の交換制御に使用することを可能にしている。これは、複数の対物レンズ７をレボルバ８に取り付けた後、自動でレボルバ８を回転し、光軸Ｉの位置に挿入された対物レンズ７の情報を撮像装置１１でパターン２１を撮像、解読することを全ての対物レンズ７に対して実行することでアドレス情報と対物レンズ７情報とを対応させて記憶することができる。また、上記のように予め全ての対物レンズに対しアドレス情報との対応を記憶させずとも、光軸Ｉに位置決めした際に情報を検出し、記憶しても良い。
【００２５】
この結果、従来のように、対物レンズ７それぞれの情報をユーザが入力手段を介して入力して記憶するという作業を行うことなくアドレス情報と対物レンズ７情報とを対応させて記憶することができるようになり、ユーザの作業量の低減を達成することができる。また、対物レンズ７を交換した場合や、レボルバ８の取り付け位置を変更した場合であっても、上記処理を行うことによってアドレス情報と対物レンズ７情報とを簡単に対応付けすることができ、ユーザの入力ミスに伴って生じる誤操作を防止することができる。
【００２６】
（第１実施の形態の変形例）
図８は第１実施の形態の変形例である。この変形例では、ＬＥＤ１０と撮像装置１１が顕微鏡本体２のレボルバ８近傍に配置されている点が異なっている。その他の構成、作用、効果は上記第１実施の形態と同様であり説明を省略する。
【００２７】
このように、変形例では、ＬＥＤ１０と撮像装置１１を顕微鏡本体２に設けることができるため、従来の顕微鏡を僅かに改造するだけ、あるいはＬＥＤ１０と撮像装置１１のセットを顕微鏡本体２に取り付けるだけ、で第１実施の形態と同様の使用環境を構築することができる。この変形例においても、ＬＥＤ１０は必須ではない。
【００２８】
（第２実施の形態）
次に、本発明の第２実施の形態にかかる顕微鏡装置について図面を参照しつつ説明する。図９は第２実施の形態にかかる顕微鏡装置の概略構成図である。図１０は、フィルタボックス部を示し、（ａ）はフィルタボックス部の断面図、（ｂ）はフィルタボックス部をＡ方向から見た図、（ｃ）はフィルタブロックの概略構成図をそれぞれ示す。第１実施の形態と同様の構成には同じ符号を附し詳細な説明を省略する。
【００２９】
図９、図１０において、第２実施の形態にかかる顕微鏡装置５１は、顕微鏡本体２と顕微鏡の制御装置３と操作装置４とから構成されている。なお、顕微鏡装置５１は蛍光観察用の顕微鏡として説明する。
【００３０】
顕微鏡本体２は、ステージ５、透過照明光学系６、対物レンズ７、複数の対物レンズ７を顕微鏡本体２の光軸Ｉに交換可能にするレボルバ８と、励起光照明光学系５２と、フィルタボックス５３と観察光学系９とから構成されている。
【００３１】
図１０に示すように、励起光照明光学系５２は光源５２ａと光源５２ａからの光をフィルタボックス５３に入射するための照明ガイドチューブ５２ｂから構成されている。
【００３２】
フィルタボックス５３は、複数のフィルタブロック５３ａを回転ターレット５３ｂにフィルタブロック取り付けアリ５３ｄ介して取り付けられ、回転ターレット５３ｂを回転することによって所望のフィルタブロック５３ａを対物レンズの光軸Ｉに挿入することができる。フィルタボックス５３は、顕微鏡取り付け部５３ｃを介して顕微鏡本体２に取り付けられる。また、回転ターレット５３ｂは不図示の電動機構で駆動されている。
【００３３】
フィルタブロック５３ａは、励起光の波長を選択する励起フィルタ５３ｅ、選択された波長の励起光を対物レンズ７側に反射するダイクロイックミラー５３ｆ、および標本で発生した蛍光を透過し励起光を不透過とするバリアフィルタ５３ｇが、略四角錘のブロックに配置されている。
【００３４】
また、フィルタボックス５３の筐体５３ｈの照明ガイドチューブ５２ｂが係合される側には、ＬＥＤ１０と撮像装置１１（１１ａ，１１ｂ）を収納する略コ字状の空間が設けられている。このＬＥＤ１０と撮像装置１１とに対向するフィルタブロック５３ａの位置には、フィルタブロック５３ａの情報を含むパターン２１ａ、または２１ｂが形成されている。パターン２１は、図５（ａ）、（ｂ）に示すものと同様のパターン２１が形成されている。この場合のパターン２１は、例えば、励起波長情報、蛍光波長情報、その他製造番号、製造年月日などのフィルタブロック５３ａの各種情報を盛り込むことができる。
【００３５】
フィルタブロック５３ａの情報は、第１実施の形態と同様の処理で取得され制御装置３に記憶される。アドレス情報は不図示のアドレス検出手段で検出されフィルタブロック５３ａの情報と対応して記憶される。例えば、撮像装置１１は、フィルタブロック５３ａに形成されているパターン２１を撮像し、画像を画像解析手段３ｂで解読して結果を制御装置３に伝達する。この際、パターン２１の周囲が暗くて撮像が難しい場合には、制御装置３はＬＥＤ１０を発光させてパターン２１を照明し撮像装置１１で画像を撮像しやすくすることができる。なおＬＥＤ１０は必須ではない。撮像装置１１で撮像されたパターン２１の画像は、画像解析手段３ｂで解読され、フィルタブロック５３ａの各種情報が、不図示のアドレス検出手段で検出されたアドレス情報と共に制御装置３の所定のメモリに記憶される。
【００３６】
このように、本第２実施の形態にかかる顕微鏡装置５１では、制御装置３がフィルタボックス５３に搭載された複数のフィルタブロック５３ａの情報を、フィルタブロック５３ａに形成されているパターン２１を撮像装置１１で撮像した画像をそれぞれ解析することで入手し、フィルタブロック５３ａの取り付け位置情報であるアドレス情報と共にそれぞれ記憶し、以後のフィルタブロック５３ａの交換制御に使用することを可能にしている。これは、複数のフィルタブロック５３ａをフィルタボックス５３に取り付けた後、自動でフィルタブロック５３ａを回転し、対物レンズの光軸Ｉの位置に挿入されたフィルタブロック５３ａの情報を撮像装置１１でパターン２１を撮像、解読することを全てのフィルタブロック５３ａに対して実行することでアドレス情報とフィルタブロック５３ａ情報とを対応させて記憶することができる。
【００３７】
この結果、従来のように、フィルタブロック５３ａそれぞれの情報をユーザが入力手段を介して入力して記憶するという作業を行うことなくアドレス情報とフィルタブロック５３ａ情報とを対応させて記憶することができるようになり、ユーザの作業量の低減を達成することができる。また、フィルタブロック５３ａを交換した場合や、フィルタブロック５３ａの取り付け位置を変更した場合であっても、上記処理を行うことによってアドレス情報とフィルタブロック５３ａ情報とを簡単に対応付けすることができ、ユーザの入力ミスに伴って生じる誤操作を防止することができる。
【００３８】
（第２実施の形態の変形例）
図１１は、第２実施の形態のフィルタボックスの変形例を示し、（ａ）はフィルタボックス部の断面図、（ｂ）は照明ランプ方向から見た図、（ｃ）はＡ方向から見た図をそれぞれ示す。本変形例では、フィルタボックスはフィルタブロックをスライドさせることで対物レンズの光軸に対して交換可能にしている。第２実施の形態と同様の構成には同じ符号を附し詳細な説明は省略する。
【００３９】
図１１において、フィルタボックス６３は、フィルタベース６３ｂにスライド可能に設置されているフィルタブロック取り付けアリ部材６３ｂにフィルタブロック６３ａを取り付け、スライドツマミ６３ｃでフィルタブロック６３ａをスライドすることで対物レンズの光軸に対して挿脱可能に構成している。また、スライドツマミ６３ｃは不図示の電動機構に接続され制御装置３の指示に従って電動でスライド可能に構成されている。
【００４０】
フィルタブロック６３ａには、励起フィルタ５３ｅ、ダイクロイックミラー５３ｆ、バリアフィルタ５３ｇが設けられ、所定の励起光で励起された蛍光をフィルタリングすることを可能にしている。
【００４１】
また、フィルタボックス６３の筐体６３ｈの照明ガイドチューブ５２ｂが係合される側には、ＬＥＤ１０と撮像装置１１を収納する略コ字状の空間が設けられている。なおＬＥＤ１０は必須ではない。このＬＥＤ１０と撮像装置１１とに対向するフィルタブロック６３ａの位置には、フィルタブロック６３ａの情報を含むパターン２１が形成されている。パターン２１は、図５（ａ）、（ｂ）に示すものと同様のパターン２１ａ，または２１ｂが形成されている。この場合のパターン２１は、例えば、励起波長情報、蛍光波長情報、その他製造番号、製造年月日などのフィルタブロック６３ａの各種情報を盛り込むことができる。
【００４２】
フィルタブロック６３ａの情報は、第２実施の形態と同様の処理で取得され制御装置３に記憶される。アドレス情報は不図示のアドレス検出手段で検出されフィルタブロック６３ａの情報と対応して記憶される。例えば、撮像装置１１は、フィルタブロック６３ａに形成されているパターン２１を撮像し、画像を画像解析手段３ｂで解読し結果を制御装置３に伝達する。この際、パターン２１の周囲が暗くて撮像が難しい場合には、制御装置３はＬＥＤ１０を発光させてパターン２１を照明し撮像装置１１で画像を撮像しやすくすることができる。撮像装置１１で撮像されたパターン２１の画像は、画像解析手段３ｂで解読され、フィルタブロック６３ａの各種情報が、不図示のアドレス検出手段で検出されたアドレス情報と共に制御装置３の所定のメモリに記憶される。その他の作用、効果は上記第２実施の形態と同様であり詳細な説明は省略する。
【００４３】
なお、上記全ての実施の形態において照明光源としてＬＥＤを例にあげたが、これに代わる小型の光源も使用可能である。また、撮像装置としては、ＣＣＤやＣＭＯＳ等の小型の固体撮像装置を用いることがスペースの観点から望ましい。
【００４４】
また、対物レンズやフィルタブロック以外の対物レンズ等、何らかの光学系の光軸に対して挿脱する他の光学部材にも適用することが可能である。
【００４５】
また、正立型顕微鏡装置に限らず倒立型顕微鏡装置にも適用可能である。
【００４６】
以上、本実施の形態によれば、顕微鏡の対物レンズ等、何らかの光学系の光軸に挿脱される複数の対物レンズやフィルタブロック等の情報を撮像装置で読み取り、その取り付け位置のアドレス情報と共に記憶することが容易となり、ユーザの作業効率の向上や、ユーザの入力ミスに伴う誤操作の防止を達成する顕微鏡装置を提供することができる。
【００４７】
また、何らかの光学系の光軸に挿脱される光学部材の各種情報をコードパターン化してあるため、撮像装置で撮像し画像を解析することで、従来含めることができなかったような多くの情報を持たせることが可能になり、解読した情報を元に各種の制御が可能になる。
【００４８】
また、例えば、ＬＥＤなどを照明用の光源として撮像装置の近傍に配置すれば、蛍光観察のような暗所で行う測定時でも容易に情報を取得することができる。
【００４９】
なお、上述の実施の形態は例に過ぎず、上述の構成や形状に限定されるものではなく、本発明の範囲内において適宜修正、変更が可能である。
【図面の簡単な説明】
【００５０】
【図１】第１実施の形態にかかる顕微鏡装置の概略構成図である。
【図２】第１実施の形態にかかる顕微鏡装置に搭載されているレボルバの拡大図である。
【図３】図２に示すレボルバのＡまたはＢ方向からみた図を示し、（ａ）はＡ方向から見た図を、（ｂ）はＢ方向から見た図をそれぞれ示す。
【図４】図２に示す対物レンズ位置決めに用いられるクリップばねの拡大図を示す。
【図５】対物レンズに設けられたコードパターンの例を示し、（ａ）は二次元コード、（ｂ）はバーコード、（ｃ）はバーコードを対物レンズ外周部分の略一周にわたって配置した例をそれぞれ示す。
【図６】顕微鏡装置の概略ブロック図である。
【図７】対物レンズ情報を取得フローを示す。
【図８】第１実施の形態の変形例である。
【図９】第２実施の形態にかかる顕微鏡装置の概略構成図である。
【図１０】第２実施の形態にかかる顕微鏡装置のフィルタボックス部を示し、（ａ）はフィルタボックス部の断面図、（ｂ）はフィルタボックス部をＡＡ方向から見た図、（ｃ）はフィルタブロックの概略構成図をそれぞれ示す。
【図１１】第２実施の形態のフィルタボックスの変形例を示し、（ａ）はフィルタボックス部の断面図、（ｂ）は照明ランプ方向から見た図、（ｃ）はＡ方向から見た図をそれぞれ示す。
【符号の説明】
【００５１】
１、５１    顕微鏡装置
２、５２    顕微鏡本体
３    中央制御装置
４    操作装置
７    対物レンズ
８    レボルバ
１０  ＬＥＤ
１１  撮像装置
１２  支持部材
１３  移動装置
２１  パターン（コードパターン）
５３、６３  フィルタボックス
５３ａ、６３ａ  フィルタブロック
Ｉ    光軸
Ｏ    回転軸
【図１】
2008216989.tif 000003
【図２】
2008216989.tif 000004
【図３】
2008216989.tif 000005
【図４】
2008216989.tif 000006
【図５】
2008216989.tif 000007
【図６】
2008216989.tif 000008
【図７】
2008216989.tif 000009
【図８】
2008216989.tif 000010
【図９】
2008216989.tif 000011
【図１０】
2008216989.tif 000012
【図１１】
2008216989.tif 000013